(57)【要約】【課題】設定可能なＯＦＤＭベースの複数の波形を用いた適応的な無線アクセスする、アドバンスト無線通信システムおよび該システムで用いられる方法を提供する。【解決手段】方法は、ＵＥにおいて、バンド固有の固定されたシステムサブバンドにて、１つまたは複数の同期信号を受信すること、前記ＵＥにおいて、前記同期信号に応じて、ベース波形ヌメロロジーを決定すること、および、前記ＵＥにおいて、１つまたは複数のサービスの複数のパラメータを定義するシステム情報を、前記ベース波形ヌメロロジーに応じて受信すること、を含む。【選択図】図１４
2019533335.tif 000002
【特許請求の範囲】
【請求項１】
アドバンスト無線通信システムにおいて、設定可能なＯＦＤＭベースの複数の波形を用いる適応的な無線アクセスを提供するために用いられる方法であって、
ＵＥにおいて、バンド固有の固定されたシステムサブバンドにて、１つまたは複数の同期信号を受信すること、
前記ＵＥにおいて、前記同期信号に応じて、ベース波形ヌメロロジーを決定すること、および、
前記ＵＥにおいて、１つまたは複数のサービスの複数のパラメータを定義するシステム情報を、前記ベース波形ヌメロロジーに応じて受信すること、
を含む、方法。
【請求項２】
請求項１記載の方法において、
前記同期信号は、第１同期信号および第２同期信号を含む、
方法。
【請求項３】
請求項２記載の方法において、
前記第１同期信号は、前記ベース波形ヌメロロジーの複数の値およびセル識別子を定義する、
方法。
【請求項４】
請求項２または３に記載の方法において、
前記第２同期信号は、フレームタイミング、セル識別グループ、複数のシステム情報メッセージを運ぶ周期的な１つまたは複数のベースＮＣＩ、および、複数のシステム情報メッセージの受信および復号のための複数の参照信号についての情報を定義する、
方法。
【請求項５】
請求項１から４のいずれか１項に記載の方法において、
前記システム情報は、使用可能バンド幅、システムタイミング、システムブロードキャストサイクル、設定された複数のサブバンドの数、複数のサブバンド幅、サブバンド多重配置、および、将来のブロードキャストサイクルにおける信号の送受信に用いるために設定された複数の波形ヌメロロジーまたは複数の情報要素の値を定義する、
方法。
【請求項６】
請求項１から５のいずれか１項に記載の方法において、
複数のサブバンド内データチャネルを送信及び／または受信するために、１つまたは複数のサブバンド内制御チャネルを監視すること、
を含む、
方法。
【請求項７】
請求項１から６のいずれか１項に記載の方法において、
前記システム情報は、新無線（ＮＲ）システムにおける複数のサービスのためにＯＦＤＭベースの波形を設定するための１つまたは複数の情報要素を含む、
方法。
【請求項８】
請求項７記載の方法において、
前記複数の情報要素は、ＮＲ通信間隔（ＮＣＩ）、サブキャリア間隔、およびサブバンド幅を含む、
方法。
【請求項９】
請求項１から８のいずれか１項に記載の方法において、
前記システム情報は、予め定義されたセットにおけるサブキャリア間隔値に関連するインデックスの形式で、サブキャリア間隔情報要素を含む、
方法。
【請求項１０】
請求項９記載の方法において、
前記予め定義されたセットにおける複数のサブキャリア間隔値は、１５×２ｋ（ｋは整数）ｋＨｚを満たす、
方法。
【請求項１１】
請求項９記載の方法において、
１つまたは複数のサブキャリア間隔値を追加または削除するために、複数のサブキャリア間隔値の前記予め定義されたセットを再設定することを含む、
方法。
【請求項１２】
請求項１から１１のいずれか１項に記載の方法において、
前記システム情報は、設定されたサブバンドを形成する連続的な複数のリソースブロックを示す、サブバンド幅情報要素を含む、
方法。
【請求項１３】
請求項１から１２のいずれか１項に記載の方法において、
信号の送信および／または受信のために設定された複数の異なる波形は、複数のサービスによる同時使用のために周波数多重されている、
方法。
【請求項１４】
請求項１３記載の方法において、
前記システム情報は、周波数多重化された複数のサブバンドの配置を定義する、サブバンド周波数オフセットを含む、
方法。
【請求項１５】
請求項１４記載の方法において、
前記サブバンド周波数オフセットは、ベースサブキャリア間隔の複数のリソースブロックに関してオフセットを定義する、
方法。
【請求項１６】
請求項１から１５のいずれか１項に記載の方法において、
波形の再設定は、ＮＲシステムブロードキャストサイクル毎に行われる、
方法。
【請求項１７】
請求項１６記載の方法において、
前記ＮＲシステムブロードキャストサイクルは、４つのＬＴＥ無線フレームの１つまたは複数の間隔を含む、
方法。
【請求項１８】
請求項１６または１７に記載の方法において、
第１のＮＲシステムブロードキャストサイクルの開始は、第１のＬＴＥ無線フレームの開始と揃えられている、
方法。
【請求項１９】
請求項１６から１８のいずれか１項に記載の方法において、
複数のＮＲシステムブロードキャストサイクルは、１０２４×１０ｍｓのスーパーフレームにおいて提供される、
方法。
【請求項２０】
請求項１６から１９のいずれか１項に記載の方法において、
ＮＲシステムブロードキャストサイクルは、２ｎ×１０（ｎは、自然数）個のＮＣＩを含む、
方法。
【請求項２１】
請求項２０記載の方法において、
特定の設定されたサブバンド内のＮＲシステムブロードキャストサイクルのＮＣＩは、ダウンリンク信号の送信のために予約され、アップリング信号の送信のために割り当てられ、または、時間多重されたダウンリンク信号およびアップリンク信号の送信のために用いられる、
方法。
【請求項２２】
請求項２０または２１に記載の方法において、
各ＮＣＩは、２つの等しい分割区間を含む、
方法。
【請求項２３】
請求項２２記載の方法において、
ＮＣＩの第１分割区間および第２分割区間は、予め定義された数の複数のＯＦＤＭベースシンボルを含む、
方法。
【請求項２４】
請求項２３記載の方法において、
前記第１分割区間の最初のシンボルおよび前記第２分割区間の最初のシンボルは、前記第１同期信号および前記第２同期信号の送信のために用いられる、
方法。
【請求項２５】
請求項２４記載の方法において、
ＮＲシステム情報メッセージおよびその参照信号は、前記最初のシンボルを除く残りのシンボルで送信される、
方法。
【請求項２６】
請求項２５記載の方法において、
前記ＮＲシステム情報メッセージは、ＮＲシステムブロードキャストサイクル毎に多くて３回繰り返される、
方法。
【請求項２７】
請求項２５記載の方法において、
多くて１つのＮＲシステム情報メッセージが無線フレーム毎に送信される、
方法。
【請求項２８】
請求項２５記載の方法において、
前記ＮＲシステム情報メッセージは、１つの無線フレーム内の１つまたは複数のＮＣＩに、送信のためにマッピングされる、
方法。
【請求項２９】
請求項１から２８のいずれか１項に記載の方法において、
固定長のシーケンスが、前記同期信号として用いられる、
方法。
【請求項３０】
請求項２９記載の方法において、
バンド固有の固定のシステムバンド内のサブキャリアの数は、前記固定長のシーケンスの長さを定義する要素数に等しい、
方法。
【請求項３１】
請求項２９記載の方法において、
前記バンド固有の固定のシステムバンド内のサブキャリアの数は、前記固定長のシーケンスの長さを定義する要素数の２Ｒ（Ｒ＝｛１，２，・・・｝）倍である、
方法。
【請求項３２】
請求項２９記載の方法において、
前記バンド固有の固定のシステムバンド内のサブキャリアの数は、前記固定長のシーケンスの長さを定義する要素数の１／２Ｓ（Ｓ＝｛１，２，・・・｝）倍である、
方法。
【請求項３３】
請求項２９記載の方法において、
前記固定長のシーケンスの１つのセグメントは、ベースＮＣＩのマッピングのために割り当てられる、
方法。
【請求項３４】
請求項３３記載の方法において、
前記固定長のシーケンスの他の複数のセグメントは、１つの無線フレーム内の同じインデックスを有する１つまたは複数のＮＣＩのマッピングのために割り当てられる、
方法。
【請求項３５】
請求項１記載の方法において、
ベースＮＣＩと部分的にまたは完全に並んだ、サブバンドの複数のＮＣＩは、ダウンリンク信号の送信のために予約されている、
方法。
【請求項３６】
請求項１記載の方法において、
アクセスノードにおいて、前記バンド固有の固定のシステムバンド内での前記同期信号およびＮＲシステム情報メッセージの送信のために、ベース波形を選択すること、
をさらに含む、
方法。
【請求項３７】
請求項１記載の方法において、
セル間干渉の調整戦略を決定すること、および、
前記セル間干渉の調整戦略に従って、前記システム情報を送信するための複数のベースＮＣＩを選択すること、
を含む、
方法。
【請求項３８】
請求項１記載の方法において、
前記同期信号のために予約されていない複数のシンボルにおける、前記バンド固有の固定のシステムサブバンドの連続した複数のサブキャリアにおいて、オリジナルのシステム情報を周期的に送信すること、をさらに含む、
方法。
【請求項３９】
設定可能なＯＦＤＭベースの複数の波形を用いて適応的な無線アクセスを提供するように構成された、アドバンスト基地局と、
前記アドバンスト基地局と通信するＵＥと
を含み、
前記ＵＥは、
前記アドバンスト基地局から、バンド固有の固定のシステムサブバンドにおいて、１つまたは複数の同期信号を受信し、
前記同期信号に応じて、ベース波形ヌメロロジーを決定し、
前記アドバンスト基地局にて提供されるサービスのための複数のパラメータを定義するシステム情報を、前記アドバンスト基地局から前記ベース波形ヌメロロジーに従って受信する、
ように構成された、
アドバンスト無線通信システム。
【発明の詳細な説明】
【技術分野】
【０００１】
本発明は、アドバンスト無線通信に関する。特に、これに限定されないが、本発明は、５Ｇ無線通信システムにおける適応無線アクセス技術（adaptive radio access technology）の提供に関する。
【背景技術】
【０００２】
＜略語＞
2019533335.tif 000003
2019533335.tif 000004
【０００３】
第４世代（４Ｇ）３ＧＰＰ電気通信システムは、世界中で急速なペースで展開されている。これらのシステムは、より高いデータレート、より少ない遅延、より優れたカバレッジ、および、サイドリンク通信などの、LTE／LTE−A／LTE−Proテクノロジの固有の利点を利用する、より高度なサービスおよびアプリケーションを可能にする。
【０００４】
現在、第５世代（５Ｇ）技術と呼ばれる、次世代の技術およびサービスの開発に多くの注目が集まっている。特に、５Ｇシステムの開発は、現在２０２０年に始まる５Ｇシステムの商業展開を目標にして、研究されている。この点に関して、５Ｇシステムのための要求を進展させることにおいて、ＩＴＵおよび３ＧＰＰにて研究が、始まっており、新無線（ＮＲ：new radio）システムのための技術仕様開発についての実行可能性研究を行っている。
【０００５】
３ＧＰＰ ＴＳＧ無線アクセスネットワーク（ＲＡＮ）によれば、３ＧＰＰは、技術要素群を特定し開発することを義務づけられており、これらの技術要素群は、ＮＲアクセス技術（新ＲＡＴとも呼ばれる）を含み、また、とりわけＩＴＵによって示された、緊急の市場ニーズおよび長期の要求の両方を満たすことが必要とされる。さらに、ＮＲアクセス技術は、より遠い将来においてさえ、無線通信に利用可能とされ得る少なくとも１００ＧＨｚまでの範囲の任意のスペクトル帯域を使用することができなければならない。
【０００６】
より具体的には、３ＧＰＰ ＮＲアクセス技術（新ＲＡＴ、Ｎ−ＲＡＴ）は、拡張モバイルブロードバンド（ｅＭＢＢ：enhanced mobile broadband）、大規模ＭＴＣ（ｍＭＴＣ：massive MTC）、クリティカルＭＴＣ（critical MTC）、ミッションクリティカル通信（ＭＣＣ：mission critical communication）、又は、超高信頼性及び低遅延通信（ＵＲＬＬＣ：ultra−reliable and low latency communications）を含む、広範なユースケースを満たすように、設計される必要がある。
【０００７】
また、３ＧＰＰの新ＲＡＴの設計及び仕様は、本質的に前方互換性（forward compatible）がある必要があり、２つのフェーズ、つまり、ＰＨＡＳＥ−１及びＰＨＡＳＥ−２で開発される必要がある。ＰＨＡＳＥ−１のＲＡＴの設計および仕様は、ＰＨＡＳＥ−２のＲＡＴの設計および仕様と上位互換性があるべきである。特に、ＰＨＡＳＥ−２のＲＡＴの設計および仕様は、ＰＨＡＳＥ−１のＲＡＴの設計および仕様の基礎に基づいて構築されるべきであり、新ＲＡＴのすべての設定要件を満たす。
【０００８】
さらに、ＰＨＡＳＥ−２を超えた円滑な技術的進化は、後になってより高度な機能をサポートすること、および、ＰＨＡＳＥ−２仕様よりも後で確認される新しいサービス要件のサポートを可能にすることが保証されるべきである。
【０００９】
新ＲＡＴの設計、特にＮＲエアインタフェース設計についての前方互換性を達成するために、３ＧＰＰ ＴＳＧ ＲＡＮは、波形および関連するマルチプルアクセス方法、基本的なフレームおよびチャネルのコーディング構造、無線インタフェースプロトコルのアーキテクチャおよび手順、無線アクセスネットワークのアーキテクチャ、インタフェースプロトコルおよび手順、並びに、基本的なＲＦの側面のような、新ＲＡＴ（Ｎ−ＲＡＴ）のための基本物理層信号構造（fundamental physical layer signal structure）に焦点を合わせることに合意した。
【００１０】
ＯＦＤＭは、３ＧＰＰ ４Ｇシステム（すなわち、ＬＴＥ、ＬＴＥ−Ａ、ＬＴＥ−Ａ Ｐｒｏ）並びにＷＬＡＮおよびＷＭＡＮのような他の無線システムにとって、優れた波形選択であることが証明されている。要するに、ＯＦＤＭは、優れたスペクトル効率を提供し、現在のハンドセットまたはユーザ機器で達成可能な処理レベルで処理および対処することができ、広い帯域幅を占有する高データレートストリームで上手く動作する。ＯＦＤＭは、また、選択的フェージングがある状況において上手く機能する。
【００１１】
ＯＦＤＭは、これまで３ＧＰＰ ４Ｇにおいて大成功であることが証明されてきたが、５ＧまたはＮ−ＲＡＴシステムでの使用には十分に効率的ではない可能性がある。
【００１２】
３ＧＰＰ ＴＳＧ ＲＡＮ−ＷＧ１における最近の研究は、単一コンポーネントキャリア上で複数のヌメロロジー（numerologies）をサポートするＯＦＤＭベースの波形がＮ−ＲＡＴのベースライン波形として使用されるべきであり、非ＯＦＤＭベースの波形は使用から除外されない、と結論付けた。さらに、最大のコンポーネントキャリア帯域幅は、少なくとも１つのヌメロロジーについて８０ＭＨｚより小さくてはならない、と結論づけられた。
【００１３】
複数の事前設計されたヌメロロジーＯＦＤＭベース波形は、サービスコンポーネントキャリア上で、時間的に、周波数的に、又は周波数−時間ハイブリッド方式で多重化されてもよく、ここで、ＯＦＤＭベース波形ヌメロロジーパラメータセットは、静的に設定される。しかしながら、ＯＦＤＭベース波形ヌメロロジーパラメータのそのような静的設定は、前方互換性を提供しない。さらに、静的に設定されたヌメロロジーパラメータセットは、将来のサービスには最適ではない可能性がある。さらに、そのような静的設定は、１つ又は複数のサービスによって生成されたトラフィックが時間および／または地理的位置とともに変化する可能性があるので、望ましくない。
【００１４】
図１は、強化されたモバイルブロードバンド（ｅＭＢＢ：enhanced mobile broadband）サービス１０１、強化されたビークルツーエブリシング（Ｖ２Ｘ：vehicle to everything）通信サービス１０２、強化されたＭＴＣ／大規模ＭＴＣ（ｅＭＴＣ／ｍＭＴＣ：enhanced MTC／massive MTC）サービス１０３、超高信頼低遅延通信（ＵＲＬＬＣ：ultra−reliable and low latency communication）サービス１０４、および、強化されたネットワークオペレーションサービス（enhanced network operation services）１１０を含む、新無線（ＮＲ）または５Ｇサービスのスペースの概要１００を概略的に示している。
【００１５】
ｅＭＢＢサービス１０１は、拡張現実および／または仮想現実のアプリケーションを実現するために、低遅延（low latency）、より高い帯域幅（higher bandwidth）、より高いスペクトル効率（higher spectral efficiency）、および、より高いユーザエクスペリエンススループット（higher user experience throughput）を必要とする。
【００１６】
Ｖ２Ｘ通信サービス１０２は、高度道路交通システム（ＩＴＳ）および／または自動運転で使用されるのに適した、リアルタイム通信（real−time communication）、イベントトリガおよび周期的通信（event−trigger and periodic communication）、遅延不耐通信（latency−intolerant communication）、並びに、超高信頼性通信（ultra−reliable communication）の、サポートを必要とする。
【００１７】
ｅＭＴＣ／ｍＭＴＣサービス１０３は、Ｍ２Ｍおよび／またはＩｏＴで使用するための、リンクバジェットの改善（link budget improvement）、低複雑度の装置（low−complexity device）、長いバッテリ寿命、非常に高密度の装置の配置（very high density devices deployment）、拡張されたネットワークカバレージ（extended network coverage）、受動通信（passive communication）、データトラフィックの断続的な短いバーストの発生（generating intermittent short burst of data traffic）、および、遅延不耐性だけでなく遅延耐性の通信（delay−tolerant as well as delay−intolerant communication）を、必要とする。
【００１８】
ＵＲＬＬＣサービス１０４は、ミッションクリティカルな通信および／または公安において使用するための、インスタントネットワークアクセスサービス（instant network access service）、遅延不耐性且つパケット損失不耐性なサービス（delay−intolerant and packet−loss intolerant services）を必要とする。
【００１９】
拡張ネットワーク運用サービス１１０は、ソフトウェア制御下でのＲＡＮ仮想化およびスライシングのサポート（supporting RAN virtualisation and slicing under software control）、マルチＲＡＴ接続性（multi−RAT connectivity）、様々なサービスの帯域幅またはデータレート要求（various service’s bandwidth or data−rates demands）、複雑な接続性／ルーティングのモデル（complex connectivity／routing model）、より効率的なマルチキャスト方法（more efficient multicast methods）、分散ネットワーク機能展開（distributed network functions deployment）、より柔軟で弾力性がある強化された機能（more flexible and resilient with enhanced capability）、および、インターワーキングを必要とする。
【００２０】
ＮＲサービスのスペースは、前方互換性１２０をさらに含み、これは、新たに定義されたトラフィックパターンを有する新しく作成されたサービスをサポートすることを必要とする。
【００２１】
ＮＲシステムのために確認されたサービスの中で、ｅＭＢＢ１０１、ｅＶ２Ｘ１０２、ｅＭＴＣ／ｍＭＴＣ１０３、ＵＲＬＬＣ１０４、および前方互換性１２０は、ＮＲインターフェースの物理的設計に直接的に影響し、ｅＭＢＢ１０１、ｅＶ２Ｘ１０２、ｅＭＴＣ／ｍＭＴＣ１０３、およびＵＲＬＬＣ１０４は、緊急の市場ニーズのためのものであり、それぞれが、確認されたサービス要求および／または要求を満たすために設計された、特定のＯＦＤＭベースの波形ヌメロロジーパラメータセットおよびサブバンド設定（specific OFDM−based waveform numerology parameter set and subband configuration(s)）を、必要とする。
【００２２】
前方互換性１２０は、１つまたは複数のＯＦＤＭベースの波形ヌメロロジーパラメータセットを現在最適に確認することができない、将来のサービスのためのプレースホルダと見なすことができる。
【００２３】
したがって、進歩した無線通信システムにおける適応無線アクセス技術を実現するための、改良されたシステムおよび方法についての必要性が明らかに存在する。
【００２４】
先行技術の刊行物が本明細書中で言及される場合、この言及は、その刊行物がオーストラリアまたは他の国の技術における共通の一般的知識の一部を形成するという承認を構成しない、ことは明らかに理解されるであろう。
【発明の概要】
【発明が解決しようとする課題】
【００２５】
本発明は、上述の不都合なことの少なくとも１つを少なくとも部分的に克服するか、または、消費者に有用なまたは商業的な選択を提供することができる、進歩的な無線通信システムおよび方法に関する。
【課題を解決するための手段】
【００２６】
上記を考慮して、本発明の一態様は、広くは、複数の設定可能なＯＦＤＭベース波形を用いる適応無線アクセスを提供するための、進歩的な無線通信システムにて使用する、方法にある。そして、この方法は、ＵＥにおいて帯域固有の固定システムサブバンド上で、１つまたは複数の同期信号を受信すること、ＵＥにおいて同期信号に従って基本波形ヌメロロジー（base waveform numerology）を決定すること、および、ＵＥにおいて基本波形ヌメロロジーに従ってシステム情報を受信することを含み、該システム情報は、１つまたは複数のサービスに関するパラメータを定義する。
【００２７】
好ましくは、上記の同期信号は、第１同期信号及び第２同期信号を含む。
【００２８】
好ましくは、上記の第１同期信号は、基本波形ヌメロロジーの値およびセル識別（cell identity）を定義する。
【００２９】
好ましくは、第２同期信号は、フレームタイミング、セル識別グループ（cell identity group）、システム情報メッセージを搬送する周期的ＮＣＩ（periodic based−NCI(s)）、および、システム情報メッセージのさらなる受信および復号のための参照信号に関する情報を定義する。
【００３０】
好ましくは、システム情報は、使用可能帯域幅（operational bandwidth）、システムタイミング、システムブロードキャストサイクル、設定されたサブバンドの数（number of configured subbands）、サブバンド幅、サブバンド多重化配置（subband multiplexing arrangement）、および設定された波形ヌメロロジーの値、又は将来のブロードキャストサイクルにおいて信号の送受信に使用するための情報要素を定義する。
【００３１】
好ましくは、この方法は、さらに、サブバンド内のデータチャネルの受信および／または送信のための、１つまたは複数のサブバンド内の制御チャネルを監視すること、を含む。
【００３２】
好ましくは、システム情報は、ＮＲシステムにおける更なるサービスのための１つ又は複数のＯＦＤＭベース波形を設定するための、複数の情報要素（IEs）を含む。
【００３３】
好ましくは、上記複数の情報要素（IEs）は、ＮＲ通信間隔（ＮＣＩ：NR communication interval）、サブキャリア間隔（subcarrier−spacing）、および、サブバンド幅（subband−width）を含む。
【００３４】
好ましくは、上記のシステム情報は、予め定義された所定のセット内のサブキャリア間隔値に関連付けられたインデックスの形式で、サブキャリア間隔ＩＥを含む。
【００３５】
好ましくは、上記の所定のセット内のサブキャリア間隔値は、１５×２ｋ（ｋは整数）ｋＨｚを満たす。
【００３６】
好ましくは、上記の方法は、１つまたは複数のサブキャリア間隔値を追加または削除するために、サブキャリア間隔値の上記所定のセットを再構成することをさらに含む。
【００３７】
好ましくは、上記のシステム情報は、設定されたサブバンドを形成する、連続した複数のリソースブロック（RBs）の数を示す、サブバンド幅ＩＥを含む。
【００３８】
好ましくは、信号の送信および／または受信のために設定された異なる複数の波形が、複数のサービスによる同時使用のために、周波数多重化される。
【００３９】
好ましくは、上記のシステム情報は、周波数多重化された複数のサブバンドの配置を定義する、サブバンド周波数オフセットを含む。
【００４０】
好ましくは、上記のサブバンド周波数オフセットは、ベースサブキャリア間隔のリソースブロック（ＲＢ）数に関する、オフセットを定義する。
【００４１】
好ましくは、波形の再設定は、ＮＲシステムのブロードキャストサイクル毎に行われる。
【００４２】
好ましくは、上記のＮＲシステムのブロードキャストサイクルは、４つのＬＴＥ無線フレームの１つまたは複数の間隔を含む。
【００４３】
好ましくは、第１のＮＲシステムブロードキャストサイクルの開始は、第１のＬＴＥ無線フレームの開始と揃えられる。
【００４４】
好ましくは、複数のＮＲシステムブロードキャストサイクルは、１０２４×１０ｍｓのスーパーフレームにおいて提供される。
【００４５】
好ましくは、ＮＲシステムブロードキャストサイクルは、（２ｎ×１０（ｎは自然数））のＮＲ通信間隔（NCIs）を含んでもよい。
【００４６】
好ましくは、特定の設定されたサブバンド内のＮＲシステムブロードキャストサイクルのＮＣＩは、ダウンリンク信号送信のために予約され、アップリンク信号送信のために割り当てられ、または、時間多重化されたダウンリンクおよびアップリンクの信号送信のために使用されてもよい。
【００４７】
好ましくは、各ＮＣＩは、２等分されている。
【００４８】
好ましくは、ＮＣＩの前半部分および後半部分は、所定数のＯＦＤＭベースシンボルを含む。
【００４９】
好ましくは、前半の第１シンボルおよび後半の第１シンボルは、第１同期信号および第２同期信号の送信に使用されてもよい。
【００５０】
好ましくは、ＮＲシステム情報メッセージおよびその参照信号は、残りのシンボル上で送信される。
【００５１】
好ましくは、上記のＮＲシステム情報メッセージは、ＮＲシステムブロードキャストサイクル毎に最大３回繰り返される。
【００５２】
好ましくは、無線フレーム当たり最大１つのＮＲシステム情報メッセージが送信される。
【００５３】
好ましくは、上記のＮＲシステム情報メッセージは、無線フレーム内の１つまたは複数のＮＣＩ上で送信するためにマッピングされる。
【００５４】
好ましくは、固定長シーケンスが、上記の同期信号のために使用される。
【００５５】
好ましくは、帯域固有の固定システムサブバンド内のサブキャリアの数は、上記の固定長シーケンスの長さを定義する要素の数に等しい。
【００５６】
あるいは、帯域固有の固定システムサブバンド内のサブキャリア数は、上記の固定長シーケンスの長さを定義する要素数の２Ｒ（Ｒ＝｛１，２，・・・｝）倍である。
【００５７】
あるいは、帯域固有の固定システムサブバンド内のサブキャリア数は、上記の固定長シーケンスの長さを定義する要素数の１／２Ｓ（Ｓ＝｛１，２，・・・｝）倍である。
【００５８】
好ましくは、上記の固定長シーケンスの１つのセグメントは、ベースのＮＣＩのマッピングのために割り当てられる。
【００５９】
好ましくは、上記の固定長シーケンスの他の複数のセグメントは、無線フレーム内の同じインデックスを有する１つまたは複数のＮＣＩのマッピングのために割り当てられる。
【００６０】
好ましくは、ベースのＮＣＩと部分的にまたは完全に揃うサブバンドＮＣＩ群は、ＤＬ信号の送信のために予約されている。
【００６１】
好ましくは、上記の方法は、アクセスノードにおいて、帯域固有固定システムサブバンド内で、同期信号およびＮＲシステム情報メッセージを送信するための基本波形を選択すること、をさらに含む。
【００６２】
好ましくは、上記の方法は、セル間干渉調整戦略（inter−cell interference coordination strategy）を決定することと、および、セル間干渉調整戦略に従ってシステム情報を送信するためのＮＣＩインデックスを選択すること、をさらに含む。
【００６３】
好ましくは、上記の方法は、帯域固有の固定システムサブバンドの連続するサブキャリア上で、且つ、上記の同期信号のために予約されていないシンボルにおいて、オリジナルシステム情報を周期的に送信すること、をさらに含む。
【００６４】
別の態様では、本発明は、広くは、進歩的な無線通信システム（advanced wireless communication system）にある。該システムは、進歩的な基地局（advanced base station）とＵＥとを含み、該基地局は、複数の設定可能なＯＦＤＭベース波形を用いる適応無線アクセスを提供するように、構成され、該ＵＥは、上記基地局との通信において、上記基地局から、帯域固有の固定システムサブバンド上で、１つまたは複数の同期信号を受信し、該同期信号に従って、基本波形ヌメロロジーを決定し、上記基地局から上記基本波形ヌメロロジーに従って、システム情報を受信するように、構成され、上記システム情報は、上記基地局で提供される１つまたは複数のサービスに関するパラメータを定義する。
【００６５】
本発明の実施形態は、第５世代（５Ｇ）または新無線（ＮＲ）３ＧＰＰシステムのようなアドバンスト無線通信システムで使用するためのシステムおよび方法に関し、異なる複数の状況、複数のサービス、または複数のトラフィックパターンのために、異なる時間に、および／または、異なるターゲットのために、最適な波形を用いることを可能にすることによって、適応性を提供する。さらに、このシステムでは、１つまたは複数の最適に設計された波形は、同じシステム帯域幅内での同時の信号の送信および／または受信のために、主要なサービス要求または複数のサービス要求に適応するように、設定／再設定されてもよい。
【００６６】
１つの広い形態では、本発明は、アドバンスト無線通信システムにおいて使用するための適応的解決策を実現することを支援する、システム情報ブロードキャストおよびシグナリングの方法に関する。上記アドバンスト無線通信システムは、定義されたエリアにおいて複数のサービスを提供するアドバンストネットワーク無線アクセスノード、該ネットワーク無縁アクセスノードによって提供される複数のサービスを同時に使用することができる第１のアドバンストユーザ機器（ＵＥ）、および、上記ネットワーク無線アクセスノードによって提供される複数のサービスを同時に使用することができる複数の第２のアドバンストＵＥを含み、各第２のアドバンストＵＥは、一度に１つの異なる提供サービスを使用できるだけであってもよい。
【００６７】
基本動作において、上記のアドバンスト無線通信システムは、複数の第１のＵＥおよび／または第２のＵＥへの／からの信号の送信／受信のために同時に最適波形を選択するために、少なくともサービス要求に応じて、アドバンストネットワーク無線アクセスノードを設定および再設定することができる。
【００６８】
より進歩的な動作では、上記のアドバンスト無線通信システムは、複数のネットワーク提供サービスを同時に使用可能な１つまたは複数の第１のＵＥおよび／または異なる複数のネットワーク提供サービスを同時に使用可能な複数の第２のＵＥへの／からの信号の送信／受信のためにシステム使用可能帯域幅（system operational bandwidth）上の複数の最適波形を同時に使用するために、複数のサービスの要求に応じて、アドバンストネットワーク無線アクセスノードを設定および再設定することができてもよい。
【００６９】
複数のサービスまたはヘテロジニアスネットワークの結合された動作において、上記のアドバンスト無線通信システムは、１つのヘテロジニアスネットワークを形成するために、複数のローカルサービスの複数の要求に応じて、２つ以上のアドバンストネットワーク無線アクセスノードを設定および再設定することができてもよく、上記複数のネットワーク無線アクセスノードは、上記複数のネットワーク無線アクセスノードによって提供される複数のネットワーク提供サービスを同時に使用可能な１つまたは複数の第１のＵＥおよび／または異なる複数のネットワーク提供サービスを同時に使用可能な複数の第２のＵＥへの／からの信号の送信／受信のために、同じシステム使用可能帯域幅を共有する一方、異なる複数の波形を使用する。
【００７０】
統計によると、サービスによって生成されたトラフィックは、ＵＥの分布、複数の使用プロファイル、複数のアクティビティプロファイル、およびモビリティに起因して、時間および／または地理的な場所が様々である。さらに、複数のオンデマンドサービス、必要とされているサービスの数、および、それらによって生成されるトラフィックも、時間および地理的な場所によって変わる。必要とされている１つまたは複数のサービスについての最適なサービス品質（ＱｏＳ）および／または経験品質（ＱｏＥ）を達成するために、１つまたは複数の最適波形および関連するリソース割り当てを使用する、アプローチに従うことによって、上記のアドバンスト無線通信システムは、上記複数のＵＥにサービスするときの波形、使用のために設定された複数の波形の数、および、アドバンストネットワーク無線アクセスノードでのリソース割り当てを、適応的に時々変えてもよい。
【００７１】
上記アドバンストネットワーク無線アクセスノードは、そのカバレッジの下で、（アイドルモードまたは接続モードで）、複数のアドバンストＵＥにその変更を通信する。さらに、波形は、１つの周波数帯域（frequency band）での使用には最適であると考えられるが他の周波数帯域での使用には最適ではない可能性があり、したがって、配備された周波数帯域に応じてアドバンスト無線アクセスノードでサービスするために、アドバンスト無線通信システムが、適応的に１つまたは複数の波形を変更する必要がある。初期ネットワークアクセスのための波形の変更は、アドバンストＵＥでシームレスに検出可能である。
【００７２】
本発明の実施形態によれば、アドバンストネットワーク無線アクセスノードで使用するためのシステム使用可能帯域幅は、１つまたは複数の周波数多重サブバンド、つまり、広帯域スペクトルの一部を含むように、設定されてもよい。上記の設定された複数のサブバンドの中には、設定可能なシステムサブバンドがあってもよく、その最小の固定サブバンド幅は、帯域仕様（例えば、ＵＨＦでは１０８０ｋＨｚ）に従って予め定義されてもよく、最大の設定されたサブバンド幅は、システム動作帯域幅に等しい。
【００７３】
周波数帯域、有鍵サービス（keyed service）、および／または所望のカバレッジのような、確認された必要性に応じて、最適な波形は、そのシステムサブバンドにおける信号の送信および受信のための、基本波形として設定されてもよい。さらなるネットワークアクセスのためにそのカバレッジ下でアドバンストＵＥに対してシステム情報を提供するために、アドバンストネットワーク無線アクセスノードは、同期信号およびシステム情報のための、上記の予め定義された帯域固有の固定ＢＷの中心（ＵＨＦでは１０８０ｋＨｚ）内で、システム情報および複数の同期信号を周期的にブロードキャストする。
【００７４】
複数の同期信号の明確なマッピングは、アドバンストＵＥが基本波形ヌメロロジーを検出することを可能にする。特に、同期信号の取得は、アドバンストＵＥが、シンボルタイミング、通信間隔タイミング、フレームタイミング、および、ブロードキャストされたシステム情報メッセージを搬送するチャネルの受信および復号のための制御情報を検出する、ことを可能にする。また、システム情報の取得は、さらに、アドバンストＵＥが、システム使用可能帯域幅、システムタイミング、システムブロードキャストサイクル、システム使用可能帯域幅内に設定されたサブバンドの数、および、サブバンド設定（subbands’ configuration）を取得する、ことを可能にする。
【００７５】
さらに、サブバンド設定の取得は、アドバンストＵＥが、さらなる複数のサービスデータチャネルの受信および／または複数のサービスデータチャネルの送信のために、サブバンド内制御チャネルモニタリングを実行する、ことをさらに可能にし得る。
【００７６】
本発明の一態様では、システム情報は、システムブロードキャストサイクルごとに、周期的にブロードキャストされる。現在のシステムブロードキャストサイクルでブロードキャストされている、複数のサブバンドおよび複数のサブバンド設定の数は、次に続くシステムブロードキャストサイクルで使用するために、適用される。
【００７７】
サブバンド設定は、キャリア周波数またはシステムサブバンドの中心に対する、設定されたサブバンドの位置を示す、サブバンド周波数オフセットをさらに含んでいてもよい。サブバンド幅は、上記の設定されたサブバンド周波数オフセット、サブキャリア間隔、および通信間隔の周りに分散されている、複数のリソースブロックの数を示していてもよい。
【００７８】
システムブロードキャストサイクルは、４つのＬＴＥ無線フレームの間隔（つまり、４０ｍｓ）を１つまたは複数含むように事前定義されてもよく、複数の所定のシステムブロードキャストサイクルは、さらに連結されて、第１のシステムブロードキャストサイクルの開始が第１のＬＴＥ無線フレームの開始と揃うように、１０２４×１０ｍｓのスーパーフレームに収まってもよい。
【００７９】
システム情報ブロードキャストのための設定された基本波形に応じて、システムブロードキャストサイクルは、
【数１】
2019533335.tif 000005
の通信間隔を含んでいてもよい。システム情報のブロードキャストにおけるセル間干渉調整を支援するために、システムブロードキャストサイクル内の範囲［０：９］におけるインデックスを有する任意の１つまたは複数の通信インターバルが、システムブロードキャストサイクル当たり少なくとも１回のシステム情報メッセージ送信（オリジナル）が存在すること、システムブロードキャストサイクル当たり最大４回のシステム情報メッセージ送信（オリジナルメッセージおよび繰り返し（repetitions））が存在すること、および、無線フレーム当たり最大１回のシステム情報メッセージ送信（オリジナルメッセージまたは繰り返し）が存在すること、という条件を満たしながら、システム情報メッセージの送信のために選択されてもよい。
【００８０】
本発明の実施形態によれば、アドバンストネットワーク無線アクセスノードにおいて、通信間隔は、ダウンリンク信号の送信のために予約されるか、またはアップリンク信号の受信のためにスケジュールされるか、または同時のダウンリンク信号の送信およびアップリンク信号の受信のためにまたはサイドリンク通信のために柔軟に共有されてもよい。通信間隔は、さらに、２つの等しい２等分部分を含み、各２等分部分は、固定数のＯＦＤＭベースシンボルを含んでいてもよい。
【００８１】
システム情報メッセージを搬送するチャネルのマッピングのために選択されている通信間隔では、各２分割部分の最初のシンボルは、通信間隔タイミングに基づく検出においてアドバンストＵＥを支援する同期信号のマッピングのために予約され、残りのシンボルは、システム情報メッセージおよびその基準信号を搬送するチャネルのマッピングのためのものである。
【００８２】
本発明の別の態様では、基本波形が同期信号およびシステム情報の送信のために設定されているか否かに関わらず、同期信号は、常にシステムサブバンド内の同期信号のための予め定義された帯域固有の固定帯域幅（例えばＵＨＦでは９６０ｋＨｚ）内のサブキャリア群上での送信のためにマッピングされてもよい。固定長のシーケンス、例えば、６４エレメント長は、上記の第１同期信号および第２同期信号のために用いられる。設定された基本波形に応じて、同期信号のための予め定義された帯域固有の固定帯域幅（例えば、ＵＨＦでは９６０ｋＨｚ）内のサブキャリアの数は、設計されたシーケンスの要素の数に等しくてもよく、これにより、１対１マッピングを可能になる。あるいは、同期信号のための予め定義された上記の帯域固有の固定帯域幅内のサブキャリアの数は、シーケンスの要素数の２Ｒ（Ｒ＝｛１，２，・・・｝）倍であってもよく、これは、マッピングの前にシーケンスの２Ｒ個の繰り返しをさらに必要とする。あるいは、同期信号のための予め定義された上記の帯域固有の固定帯域幅（例えば、ＵＨＦでは９６０ｋＨｚ）内のサブキャリアの数は、設計されたシーケンスの要素数の（１／２Ｓ（Ｓ＝｛１，２，・・・｝））倍であってもよく、これは、１つの無線フレーム内の同じインデックスを持つ複数の異なる通信間隔上にマッピングするために、上記のシーケンスの２Ｓ個の分割部分（partitions）をさらに必要とする。
【００８３】
フルのシーケンス、または反復されたシーケンスの数、または異なる複数の通信間隔におけるシーケンスの異なる複数の部分（sections）を検出すると、アドバンストＵＥは、サブキャリア間隔および通信間隔を含む波形ベースヌメロロジーを導出することができる。
【００８４】
有利には、本発明の実施形態は、特にシステム情報ブロードキャストと共に使用されている波形のための同期信号の設計およびマッピングを提供し、上記の必要性／展開（needs／deployment）に基づく最適なベース波形の適応的な選択を可能にする。
【００８５】
さらに、広帯域無線システムにおけるスペクトルの異なる複数の部分における異なる複数のヌメロロジーの複数の波形の多重化および関連するシステムシグナリングは、黙示的なＯＯＢ干渉管理を可能にし、さらにセルに存在している、サービス中の既存のＵＥまたは新しいＵＥに影響を及ぼすことなく、波形の再設定をアシストする。
【００８６】
最後に、システムを変更せずに将来の使用のために新しい波形を追加できる、前方互換性が有効となっている。
【００８７】
本明細書に記載の特徴のいずれも、本発明の範囲内で、本明細書に記載の他の特徴の任意の１つまたは複数と任意の組み合わせで組み合わせることができる。
【００８８】
本明細書におけるいかなる先行技術への言及も、先行技術が共通の一般的知識の一部を形成するという承認または示唆の何らかの形態ではなく、またそのように解釈されるべきではない。
【図面の簡単な説明】
【００８９】
本発明の種々の実施形態は、次の図面を参照して記述される。
【図１】新無線（ＮＲ）または５Ｇサービスのスペースの概要を概略的に示す図である。
【図２】本発明の一実施形態によるアドバンスト無線通信システムを示す図である。
【図３】本発明の一実施形態によるアドバンスト無線通信システムを示す図である。
【図４】本発明の一実施形態によるアドバンスト無線通信システムを示す図である。
【図５】本発明の一実施形態によるアドバンスト無線通信システムのコンポーネントキャリア設定を示す図である。
【図６】本発明の一実施形態によるシステム構成を示す図である。
【図７】本発明の一実施形態による、複数の異なるヌメロロジーを有する複数のサブバンドを設定および再設定することを可能にする、情報構造を概略的に示す図である。
【図８】本発明の一実施形態による、ＵＨＦ帯域のための例示的なシステム構成を示す図である。
【図９】本発明の一実施形態による、例示的な情報および同期信号の構成を示す図である。
【図１０】本発明の一実施形態による、例示的なシステム情報のブロードキャスト構成を示す図である。
【図１１Ａ】本発明の一実施形態による、例示的な同期信号の送信構成を示す図である。
【図１１Ｂ】本発明の一実施形態による、例示的な同期信号の送信構成を示す図である。
【図１１Ｃ】本発明の一実施形態による、例示的な同期信号の送信構成を示す図である。
【図１２Ａ】本発明の一実施形態による、例示的な同期信号の送信構成を示す図である。
【図１２Ｂ】本発明の一実施形態による、例示的な同期信号の送信構成を示す図である。
【図１３Ａ】本発明の一実施形態による、例示的な同期信号の送信構成を示す図である。
【図１３Ｂ】本発明の一実施形態による、例示的な同期信号の送信構成を示す図である。
【図１４】本発明の一実施形態による、アドバンストＵＥで使用するための方法を示す図である。
【発明を実施するための形態】
【００９０】
本発明の好ましい特徴、実施形態および変形は、本発明を実施するのに十分な情報を当業者に提供する、以下の詳細な説明から識別されるであろう。詳細な説明は、決して、前述の発明の概要の範囲を限定するものと見なされるべきではない。
【００９１】
所与の時間でのおよび／または所与のターゲットに対しての、異なる状況、サービス、またはトラフィックパターンについて異なる波形を使用することによって、５Ｇシステムにおける適応的な無線アクセス技術（ＲＡＴ：Radio Access Technology）を提供する、システムおよび方法が以下に説明される。
【００９２】
１つの方法は、広帯域無線システムにおけるスペクトルの予約された部分における周期的な送信のための同期信号を生成することおよびマッピングすることを含み、これは、システム情報をブロードキャストするために使用される基本波形ヌメロロジーのブラインド検出（blind-detection）を可能にする。このように、この方法は、基本波形（base waveform）の再設定を可能にし、これは次にフルスペクトルにおける複数の波形を再設定するために使用され得る。さらに、この方法は、広帯域無線システムにおけるスペクトルの他の部分における複数のサービスのために設定される他の複数の波形およびそれらのヌメロロジーについてＵＥに知らせるために、システム情報を生成することおよび周期的に送信することを含み得る。
【００９３】
本明細書に記載のシステムは、ＮＲシステムコンポーネントキャリアが、１つまたは複数のＯＦＤＭベースの複数の波形が時間的にまたは周波数的にまたは時間−周波数の組み合わせで多重化されまたは切り替えられるように設定および再設定されるように設計および指定され、そして、セルのカバレッジ内の１つ以上のサービスに対する要求に適応する。設定された各OFDMベースの波形は、１つまたは複数のサービストラフィックパターンに対応するヌメロロジーパラメータセットに関連付けられている。
【００９４】
さらに、システムは、異なるヌメロロジーを有する１つまたは複数のＯＦＤＭベースの波形を、使用可能なユーザおよび／または入ってくるユーザに影響を与えることなく、適応的に削除されるまたは存在しているサービングＮＲコンポーネントキャリアに追加され得る、再設定を可能にするように、設計される。この再設定は、最適なスペクトル利用を可能にするために、ＯＦＤＭベースの複数の波形を追加または削除することを含み、それは、複数のＵＥのＱｏＥを向上させ、ＮＲシステムの物理設計に何ら影響を与えずに、生成される新たな設計の波形を必要とする新しいサービスが追加されることを可能にする。
【００９５】
所与の時間でのおよび／または所与のターゲットに対しての、所与のサービスまたは所与のトラフィックパターンについての最適な波形を使用し、且つ、１つまたは複数の最適に設計された波形が単一のコンポーネントキャリアに多重化される、上記の適応的な解決策を実現するために、上記のシステムは、サービスを受けている複数のＵＥが、複数のＯＦＤＭベースの波形が設定可能であることまたはサービスを提供している１つのＮＲコンポーネントキャリア上に多重化されていることに気づくことを可能にし、そして、単一のＮＲコンポーネントキャリア上で異なるＱｏＳを持つ複数のサービスが同時にサポートされることを可能にする。特に、設定された各波形は、特別に設計されたヌメロロジーパラメータセットを有していてもよく、所与の時間に上記のサービスのトラフィックを収容するために、設定可能な１つ又は複数のサブバンドに跨がるように、設定／再設定されてもよい。さらに、システムおよび方法は、また、新たに設計された複数のヌメロロジーを有する同じカテゴリ内の１つまたは複数の波形が将来追加されること、または、１つまたは複数のヌメロロジーパラメータを有する１つまたは複数の既存の波形が複数の展開シナリオに適応しつつ改良されること、を可能にする。
【００９６】
本明細書におけるシステムサブバンドという用語は、より大きいシステム帯域幅内で設定されるスペクトルの一部に関し、このシステム帯域幅では、その最小のサブバンド幅が、ＵＥで暗黙のうちに想定され得る同期信号およびシステム情報の送信のために、帯域固有に従って予め定義されて固定される。
【００９７】
図２は、本発明の一実施形態による、アドバンスト無線通信システム１３０を示す。システム１３０は、複数の波形が同じコンポーネントキャリア上で適応的に多重化される、波形適応を含む。これは、汎用性を提供し、システム１３０が異なる複数の要件を有する複数のサービスのために効率的に使用されることを可能にし、これにより、システム１３０が広範囲のユースケースを満たすことを可能にする。
【００９８】
以下でさらに詳細に説明するように、システム１３０は、特定のサービスニーズ（たとえば、サービス品質（ＱｏＳ）または体験品質（ＱｏＥ）ベースのニーズ）を満たすために、ある時点での複数のＵＥへの複数のデータストリームの送信のための波形を選択し、そして、他の時点での複数のＵＥへの複数のデータストリームの送信のために他の波形に適応的に変更してそのとき他のサービスニーズを満たすように、構成されてもよい。
【００９９】
上記のアドバンスト無線通信システム１３０は、アドバンストネットワーク無線アクセスノード１３１を含む単一のセルネットワークを有し、アドバンストネットワーク無線アクセスノード１３１は、システム１３０内のトラフィックを監視し、これに基づいて、信号の送信および受信のための波形を適応的に選択するように、構成されている。波形の選択は、その時点での波形がシステムのニーズに確実に一致するように、定期的に実行される。
【０１００】
システム１３０は、複数のマシンタイプコミュニケーション（ＭＴＣ）デバイス１３３、複数のモバイルブロードバンド（ＭＢＢ）ＵＥ１３４、および、複数のミッションクリティカルコミュニケーション（ＭＣＣ）ＵＥ１３５を含み、これらはすべて、アドバンストネットワーク無線アクセスノード１３１のカバレッジ１３２の下にある。
【０１０１】
一日の時間、地理的位置、または発生するイベントに応じて、ＭＴＣデバイス１３３およびＵＥ１３４，１３５は、複数の異なる送信要件を有していてもよく、したがって、複数の異なる設定が提供されてもよい。例えば、ＭＴＣデバイス１３３がメータデータの遠隔報告のためのスマートメータである地域では、ＭＴＣデバイス１３３は、夜間に通信し、信号の送信／受信のために第１波形１３７を使用するように、スケジュールされてもよい。
【０１０２】
ほとんどの複数のＭＢＢ ＵＥ１３４がアクティブである日中に、第２波形１３８が信号の送信／受信のために設定されてもよい。
【０１０３】
インシデント（incident）の発生時に、またはスケジュールされたイベントの結果として、多数のＭＣＣ ＵＥ１３５が同時にネットワークサービスを要求することがある。そのような場合、無線アクセスノード１３１は、優先ＭＣＣサービスのニーズを満たすために、信号の送信／受信のための第３波形１３９に切り替えるように、構成されてもよい。
【０１０４】
システム１３０は、該システムのニーズに基づいて波形を適応的に選択するように構成されている一方で、サービスに最適な（またはそのために設計された）波形が、他のサービスの信号の送信／受信に用いられてもよい。例示的な例として、ＭＢＢ ＵＥ１３４に対して最適化された第２波形１３８は、スペクトルまたはリソースの最も効果的な使用ではなく最高のＱｏＥを提供しないかもしれないが、ＭＴＣデバイス１３３またはＭＣＣ ＵＥ１３５と共に時折使用されてもよい。
【０１０５】
図３は、本発明の実施形態によるアドバンスト無線通信システム１４０を示す。システム１４０は、システム１３０と同様であるが、より高度な波形適応を含む。
【０１０６】
アドバンスト無線通信システム１４０は、アドバンストネットワーク無線アクセスノード１３１と、ＭＴＣグループ１３３、ＭＢＢグループ１３４、ＭＣＣグループ１３５および拡張ＭＢＢ（ｅＭＢＢ：Enhanced MBB）グループ１３６にグループ化された複数のＵＥと、を含む、単一セルネットワークを含む。
【０１０７】
アドバンストネットワーク無線アクセスノード１３１は、スペクトル１４１の異なる複数の部分で各グループ１３３、１３４、１３５の目標ＱｏＳおよび／またはＱｏＥ要件を満たすように、異なる複数の波形を多重化するように、構成されている。グループ１３３、１３４、１３５のいくつかはネットワーク無線アクセスノードでの複数のネットワークサービスを同時に要求する可能性があり、このような場合、異なる波形を使用して同じコンポーネントキャリア上で同時にデータの送信および受信を可能にするために、システム１４０は、同時に複数の異なる波形で設定されてもよい。
【０１０８】
さらに、アドバンストＵＥにおけるデータストリームは、複数の同時サービスに関連してもよく、それらのデータストリームは、チャネル符号化され、変調され、そして複数の波形を使用して他のユーザのデータストリームと多重化されてもよい。例示的な例として、ｅＭＢＢグループ１３６のＵＥは、同時に複数の異なる波形１３７，１３８および／または１３９上で信号の受信／送信を実行することができ、したがって、同時に複数のネットワークサービスを利用することができてもよい。
【０１０９】
図４は、本発明の一実施形態によるアドバンスト無線通信システム１５０を示す。アドバンスト無線通信システム１５０は、ヘテロジニアスネットワークを含み、適応的な波形適応を含む。
【０１１０】
アドバンスト無線通信システム１５０は、同じスペクトルを完全にまたは部分的に共有するように２つ以上のアドバンストネットワーク無線アクセスノードを設定および再設定することができ、各アドバンストネットワーク無線アクセスノードは、干渉管理のためおよび／またはスペクトル効率を改善するために、スペクトルの複数の異なる部分での信号の送信／受信のための複数の波形を選択してもよい。
【０１１１】
アドバンスト無線通信システム１５０は、第１カバレッジ１５２を有する第１アドバンストネットワーク無線アクセスノード１５１と、第１カバレッジ１５２内の第２カバレッジ１６１を有する第２アドバンストネットワーク無線アクセスノード１６０としてのリモート無線ヘッド（ＲＲＨ）とを含む。
【０１１２】
アドバンスト無線通信システム１５０は、一群のＭＴＣ／ＩｏＴ ＵＥ１５３、一群のＭＢＢ ＵＥ１５４、および、一群のＭＣＣ／ＵＲＬＬＣ／クリティカルＭ２Ｍ ＵＥ１５５をさらに含む。第１無線アクセスノード１５１は、スペクトル１６４の複数の異なる部分において、ＭＴＣ／ＩｏＴグループ１５３、ＭＢＢグループ１５４、およびＭＣＣ／ＵＲＬＬＣ／クリティカルＭ２Ｍグループ１５５への送信を多重化するために、適応的に複数の波形１５７，１５８，１５９を選択するように構成される。
【０１１３】
第２のアドバンストネットワーク無線アクセスノード１６０は、第１のＵＥ１５６および第２のＵＥ１６２にサービスするように、構成されている。特に、第２の無線アクセスノード１６０は、そのカバレッジ１６１内で、且つ、１つまたは複数の部分が第１の無線アクセスノード１５１で使用するためのスペクトルと重なっている可能性があるスペクトル上で、ＵＥ１５６，１６２へ／からのデータストリームの送信／受信のための波形を適応的に選択するように構成される。
【０１１４】
ＵＥ１５６は、複数の異なる波形１６３，１５７を同時に使用して信号の受信／送信を実行することができ、したがって、第１および第２の無線アクセスノード１５１，１６０によって提供される複数のネットワークサービスを同時に受信する。
【０１１５】
図５は、本発明の実施形態による、アドバンスト無線通信システムのコンポーネントキャリア構成２００を示す。この構成は、複数のＯＦＤＭベースの波形を含み、各波形は、サービスまたは特定の用途のために最適に設計されており、設定可能な複数のサブバンドでの複数のヌメロロジーの多重化を図示している。
【０１１６】
初期設定２１０は、キャリア周波数２０２を有するコンポーネントキャリアに適用され、サービスＰ、サービスＯおよびサービスＱのような第１の時点での複数のサービスの要求を満たす。上記複数のサービスの要求及び潜在的な１つ又は複数の経験品質（ＱｏＥ）の要件に基づいて、上記のコンポーネントキャリアは、最初に、サービスＰによる使用のために、第１のサイズ２１１を有する第１の設定サブバンド２１２において且つ第１の最大割り当て送信電力２２３で、第１の波形２１１およびヌメロロジーＢを使用するように、設定される。
【０１１７】
上記のコンポーネントキャリアは、さらに、サービスＯによる使用のために、第２のサイズを有する第２の設定サブバンド２１５において第２の最大割り当て送信電力２２４で、第２の波形２１４およびヌメロロジーＡを使用するように、設定される。最後に、上記のコンポーネントキャリアは、サービスＱによる使用のために、第３のサイズを有する第３の設定サブバンド２１７において第３の最大割り当て送信電力２２５で、第３の波形２１６およびヌメロロジーＤを用いるように、設定される。
【０１１８】
サブバンド２１２，２１５，２１７は、隣接して設定されたサブバンド間、つまり、第１および第２のサブバンド２１２，２１５の間、および第２および第３のサブバンド２１５，２１７の間に、ガードバンド２２１，２２２が設けられるように、設定される。ガードバンド２２１，２２２は、帯域外（ＯＯＢ）干渉を防止または低減する。
【０１１９】
例えば、新しいサービスが要求されたときおよび／または設定された複数のサービスに対するユーザの要求が変化したときには、サービスによって生成されるデータ量が時間とともに変化することがあるので、コンポーネントキャリアは、再設定されてもよい。特に、新しい構成２３０は、第２の時点での複数のサービスの要求を満たすために適用され、経験品質（ＱｏＥ）および／またはサービス品質（ＱｏＳ）が確実に維持される。
【０１２０】
特に、上記のコンポーネントキャリアは、サービスＰによる使用のために、サイズが縮小された設定サブバンド２３２において第４の最大割り当て送信電力２４４で、第４の波形２３１およびヌメロロジーＢを使用するように、再設定される。
【０１２１】
上記のコンポーネントキャリアは、サービスＯによる使用のために、拡張されたサイズを有する再設定されたサブバンド２３４において再設定された最大割り当て送信電力２４５で、第５の波形２３３およびヌメロロジーＡを使用するように、さらに再設定される。同様に、上記のコンポーネントキャリアは、新しいサービスＳによる使用のために、設定されたサブバンド２３８において最大割り当て送信電力２４６で、波形２３７およびヌメロロジーＣを使用するように、設定される。最後に、上記のコンポーネントキャリアは、サービスＱによる使用のために、縮小されたサイズの再設定されたサブバンド２３６において再設定された最大割り当て送信電力２４７で、波形２３５およびヌメロロジーＤを使用するように、再設定される。
【０１２２】
ＮＲコンポーネントキャリア上のサブバンドを追加、削除、または再設定することは、最適なスペクトル利用を確実にするために、ガードバンドの再設定をさらにもたらし得る。コンポーネントキャリア再設定の複数の波形は、サービス中断をもたらす可能性があり、シームレスな遷移を可能にするために、再設定移行期間２５０は、最小またはゼロであることが望ましい。
【０１２３】
本発明の実施形態によれば、システム情報のセットは、無線アクセスノードによってそのカバレッジエリア内のＵＥへ、予め定義された時間間隔で定期的にブロードキャストされる。上記の情報は、最小の予め定義された帯域固有の固定サブバンド幅を有するシステムサブバンド内でブロードキャストされる。
【０１２４】
特に、上記の無線アクセスノードは、システム情報を送信するために、その波形／ヌメロロジー候補セット内の１つの波形およびヌメロロジーを使用するように、静的に設定される。上記の波形およびヌメロロジーは、周波数帯域の使用（例えば、ＶＨＦ、ＵＨＦ、ＳＨＦ、ＥＨＦまたはＴＨＦ）および／またはネットワークノード展開シナリオに基づいて、選択され得る。
【０１２５】
システム情報の送信のために設定された上記の波形およびヌメロロジーは、以下でさらに詳細に説明されるように、その初期の周波数および時間の取得の間に、帯域固有の固定の複数の同期信号およびシステム情報を用いて、ＵＥにおいて決定される。
【０１２６】
上記の周期的にブロードキャストされるシステム情報セットは、システム帯域幅、システムフレーム番号（ＳＦＮ）などのシステムフレームタイミング、上記の使用可能なシステム帯域幅内の設定された使用可能な複数のサブバンドの数、使用可能な複数のサブバンドの位置、および、さらにサブバンド内の信号の受信および／または送信のために設定された波形の複数のヌメロロジーを含む、ＮＲネットワーク無線アクセスノードのサービング情報をＵＥに提供する。
【０１２７】
図６は、本発明の一実施形態によるシステム設定３００を示す。この設定は、異なる複数のヌメロロジーを用いた柔軟なサブバンド設定、ならびに、それの設定および再設定を可能にする。
【０１２８】
システム情報３１０，３２０は、予め定義された時間間隔３３０で定期的に予め定義されたシステム帯域幅２１５内で、無線アクセスノードによってブロードキャストされる。システム情報３１０，３２０は、システム動作帯域幅（system operation bandwidth）３０１と、上記の第１の期間（つまり、ｔ０からｔ１）についての初期システム設定Ｎ２１０を表す複数のシステム情報要素と、上記の第２の期間（つまり、ｔ’１からｔ２）についてのＮＲシステム再設定Ｍ２３０を表す再設定された複数のシステム情報要素とを提供する。
【０１２９】
初期のシステム設定Ｎ２１０は、ヌメロロジーＢを使用する第１のサブバンド２１１、ヌメロロジーＡを使用する、システムサブバンドの形態の第２のサブバンド２１４、および、ヌメロロジーＤを使用する第３のサブバンド２１６を含む、３つのサブバンドを定義する。
【０１３０】
第１のサブバンド２１１は、第１のサブバンド周波数オフセット３１１および第１のサブバンド幅２１２と関連づけられ、第２のサブバンド２１４は、第２のサブバンド周波数オフセット３１２およびと第２のサブバンド幅２１５と関連づけられ、第３のサブバンド２１６は、第３のサブバンド周波数オフセット３１３および第３のサブバンド幅２１７と関連づけられている。
【０１３１】
適切なサブバンド周波数オフセットおよびサブバンド幅の値を設定することによって、対となる隣接サブバンド（つまり、第１のサブバンド２１１と第２のサブバンド２１４、および、第２のサブバンド２１４と第３のサブバンド２１６）は、ＯＯＢ干渉を効果的かつ動的に管理するガードバンド２２１，２２２を備えることができる。
【０１３２】
第２のブロードバンドシステム情報Ｍ２３０は、ヌメロロジーＢを用いた第１サブバンド２３１、ヌメロロジーＡを用いた、システムサブバンドの形態の第２サブバンド２３３、ヌメロロジーＣを用いた第３サブバンド２３７、及び、ヌメロロジーＤを用いた第４サブバンド２３５を含む、４つのサブバンドを定義する。
【０１３３】
第１のサブバンド２３１は、サブバンド周波数オフセット３２１および関連するサブバンド幅２３２と関連づけられ、第２のサブバンド２３３は、サブバンド周波数オフセット３２２および関連するサブバンド幅２３４と関連づけられ、第３のサブバンド２３７は、サブバンド周波数オフセット３２４および関連するサブバンド幅２３８と関連づけられ、第４のサブバンド２３５は、サブバンド周波数オフセット３２３および関連するサブバンド幅２３６と関連づけられている。
【０１３４】
隣接する対のサブバンド（つまり、第１および第２のサブバンド２３１，２３３、第２および第３のサブバンド２３３，２３７、ならびに第３および第４のサブバンド２３７，２３５）の適切なサブバンド周波数オフセットの値およびを関連するサブバンド幅の値を設定することによって、ガードバンド２４１，２４２，２４３は、ＯＯＢ干渉を効果的かつ動的に管理するために、提供され得る。
【０１３５】
図７は、本発明の実施形態による、複数の異なるヌメロロジーを有する複数のサブバンドを設定および再設定することを可能にする、情報構造３５０を概略的に示す。情報構造３５０は、上記のＮＲシステム情報の送信および受信のために設定された波形およびヌメロロジーに関わらず、予め定義された帯域固有の固定中央サブバンド幅またはＢＷ内で、無線アクセスノードから送信されるように設計される。ＵＨＦ帯域の場合、予め定義された帯域固有の固定中央サブ帯域幅である１０８０ＫＨｚを使用することができる。
【０１３６】
情報構造３５０は、システム帯域幅要素３５１、設定されたサブバンド数の要素３５２、１つまたは複数のサブバンド設定３５３、およびシステムタイミング要素３５７の形の、複数の情報要素（ＩＥｓ）を含む。
【０１３７】
システム帯域幅要素３５１は、１，４，５，１０，１５，２０，４０，８０，１００ＭＨｚなどの定義された複数のシステム帯域幅値のうちの１つを識別する、インデックスを有する。
【０１３８】
設定サブバンド数要素３５２は、設定されたサブバンドの数を定義し且つ
【数２】
2019533335.tif 000006
の範囲における整数を有し、ここで、
【数３】
2019533335.tif 000007
は、上記のシステム帯域幅内で設定されうる予め定義されたサブバンドの最大数である。
【０１３９】
複数のサブバンド設定３５３は、設定された複数のサブバンドの各数についての設定を含み、各設定は、サブバンドサブキャリア間隔（subband sub−carrier spacing）３５４、使用可能サブバンド幅（operational subband−width）３５５、およびサブバンド周波数オフセット３５６を含む。
【０１４０】
サブバンドサブキャリア間隔３５４は、３．７５，７．５，１５，３０，６０ｋＨｚなどの、システムによってサポートされる、予め定義された複数のサブキャリア間隔値のうちの１つを識別する、インデックスを含む。
【０１４１】
サブバンドの使用可能サブバンド幅（subband operational subband−width）３５５は、サブバンド幅をリソースブロックの数（ＲＢｓ）として定義する。ＲＢｓは、１２などの固定数のサブキャリアを含んでいてもよい。
【０１４２】
サブバンド周波数オフセット３５６は、システム情報ブロードキャストに使用されるサブキャリア間隔のＲＢの数を定義する自然数である。
【０１４３】
最後に、システムタイミング３５７は、３Ｇ、４Ｇおよび５Ｇシステムにわたる単一タイミングフレームワークのためのシステムフレーム番号（ＳＦＮ）を定義する。
【０１４４】
システム設定３５０の使用法は、本発明の実施形態による、ＵＨＦ帯域の例示的なシステム設定３６０を示す図８を参照して例示的に示される。ＬＴＥベースＯＦＤＭヌメロロジー波形（つまり、１５ｋＨｚサブキャリア間隔、および１ｍｓ通信間隔またはＴＴＩまたはサブフレーム）は、ＮＲシステム情報の送信および受信のために設定される。
【０１４５】
システム設定３６０は、１０ＭＨｚの値を有するシステム帯域幅３６１内に５つのサブバンド３６２（１），３６２（２），３６２（３），３６２（４），３６２（５）を含む。
【０１４６】
第１のサブバンド３６２（１）は、３．７５ｋＨｚのサブキャリア間隔、１６ＲＢの使用可能サブバンド幅３６２（１）．１、および、キャリア周波数からの周波数オフセット３６２（１）．２である２３ＲＢによって設定されており、５００ｋＨｚの低い方のガードバンド３６７を残している。
【０１４７】
第２のサブバンド３６２（２）は、３０ｋＨｚのサブキャリア間隔、６ＲＢの使用可能サブバンド幅３６２（２）．１、および、キャリア周波数からの周波数オフセット３６２（２）．２である１４ＲＢによって設定されており、第１のサブバンド３６２（１）と第２のサブバンド３６２（２）との間に１８０ｋＨｚのガードバンド３６３を残している。
【０１４８】
第３のサブバンド３６２（３）は、７．５ｋＨｚのサブキャリア間隔、５ＲＢの使用可能サブバンド幅３６２（３）．１、および、キャリア周波数からの周波数オフセット３６２（３）．２である５ＲＢで設定されており、第２のサブバンド３６２（２）と第３のサブバンド３６２（３）との間に３１５ｋＨｚのガードバンド３６４を残している。
【０１４９】
第４のサブバンド３６２（４）は、１５ｋＨｚのサブキャリア間隔、６ＲＢの使用可能サブバンド幅３６２（４）．１、および、周波数キャリアからの周波数オフセット３６２（４）．２である０ベースＲＢ（つまり、キャリア周波数と同じである）で設定されており、第３のサブバンド３６２（３）と第４のサブバンド３６２（４）との間に１３５ｋＨｚのガードバンド３６５を残している。
【０１５０】
最後に、第５のサブバンド３６２（５）は、６０ＫＨｚのサブキャリア間隔、５ＲＢの使用可能サブバンド幅３６２（５）．１、および、キャリア周波数からの周波数オフセット３６２（５）．２である１５ＲＢで、設定されており、第４のサブバンド３６２（４）と第５のサブバンド３６２（５）との間に３６０ｋＨｚのガードバンド３６６と、５００ｋＨｚの上側のガードバンド３６８とを残している。
【０１５１】
本発明の別の態様は、システム情報３５０などのシステム情報を送信する際に、ＮＲアクセスノードで使用する方法に関する。図９は、本発明の実施形態による、例示的な情報および同期信号の設定４００を示す。
【０１５２】
システム情報は、ブロードキャストサイクル４１０，４３０ごとにブロードキャストされ、ブロードキャストサイクルは、４０ｍｓの長さである。スーパーフレーム（つまり、ＳＦＮ＃０）内の最初のシステムブロードキャストサイクル４１０の開始と最初の１０ｍｓ無線フレーム４１１の開始とは、時間４２０で揃えられている。
【０１５３】
２つの連続したシステム設定の間の遷移期間を排除するために、システム情報４１２およびシステム情報レピティション４２１，４２２，４２３は、現在のシステムブロードキャストサイクル４１０でブロードキャストされ、直後のＮＲブロードキャストサイクル４３０に適用される。
【０１５４】
図１０は、本発明の実施形態による、例示的なシステム情報ブロードキャスト設定５００を示す。上記の設定は、ＮＲ信号の送受信のために設定されたＯＦＤＭベースのヌメロロジーに依存する。
【０１５５】
設定５００は、４０ｍｓのシステムブロードキャストサイクル５０１と、（１０×２Ｓ（Ｓ＝｛０，１，２，３，４｝））個のＮＲ通信間隔（ＮＣＩｓ）５１０，５２０，５３０，５４０，５５０とを含む。各ＮＣＩは、複数のＮＲ信号の送信または受信のために、あるいは、同時にＮＲ信号を送信および受信するために用いられ得る、期間に関する。
【０１５６】
設定されたＯＦＤＭベースのヌメロロジーに基づいて、システムブロードキャストサイクル内に少なくとも１つのオリジナルシステム情報の送信が存在し、システムブロードキャストサイクルあたり最大４つのシステム情報の送信（つまり、オリジナルおよびその複数のレピティション）が存在し、また、１０ｍｓの無線フレームにおいて最大１つのシステム情報の送信（オリジナルまたはその繰り返し）が存在する。
【０１５７】
例えば、第５のＮＣＩ５５０は、４ｍｓの長さであり、システムブロードキャストサイクル５０１内に、単一のシステム情報の送信５５１を含む。同様に、第４のＮＣＩ５４０は、２ｍｓの長さであり、システムブロードキャストサイクル５０１内に、２つのシステム情報の送信５４１，５４２を含む。
【０１５８】
第１、第２および第３のＮＣＩ５１０，５２０，５３０は、すべて長さが１ｍｓ未満であり、システムブロードキャストサイクル５０１において、４つのシステム情報の送信５３１，５３２，５３３および５３４、または５２１，５２２，５２３および５２４、または５１１，５１２，５１３および５１４を含む。
【０１５９】
さらに、無線フレームあたり最大１つのシステム情報の送信がある（つまり、無線フレーム５０２ではシステム情報送信５３１，５２１または５１１、無線フレーム５０３ではシステム情報送信５３２，５２２または５１２、無線フレーム５０４ではシステム情報送信５３３，５２３または５１３、および無線フレーム５０５ではシステム情報送信５３４，５２４または５１４）。
【０１６０】
ＮＲアクセスノードは、セル間干渉調整をアシストするために、システムブロードキャストサイクル内の任意のＮＣＩでシステム情報を送信するように、構成されてもよい。例えば、０．５ｍｓの長さを有する第２のＮＣＩ５２０は、システムブロードキャストのために設定され、システムブロードキャストサイクル５０１の第１の無線フレーム５０２の第１のＮＣＩ５１０および第１のＮＣＩ５１０の次の３つの無線フレーム５０３，５０４，５０５は、繰り返されるＮＲシステム情報５１２，５１３，５１４の送信のために選択される。さらに、１ｍｓ未満の長さを有するＮＣＩ５１０、５２０の場合、無線フレーム内の複数のＮＣＩは、システム情報のマッピングために選択されてもよく、これは、ミッションクリティカルな通信システムにおける高速ネットワークアクセスをアシストする可能性がある。
【０１６１】
図９に戻ると、オリジナルのＮＲシステム情報の送信のために選択されたＮＣＩ４１２、またはその繰り返しのために選択されたＮＣＩ４２１，４２２，４２３において、予め定義された帯域固有の固定サブバンド幅またはＢＷの内の複数のサブキャリアのみが、ＮＲシステム情報の変調およびプリコードされたシンボル群（NR system information modulated & precoded symbols）のマッピングのために用いられる。
【０１６２】
例えば、ＵＨＦ帯域では、１０８０ｋＨｚである予め定義された固定中央サブバンド幅４０１内のサブキャリア群が、ＮＲシステム情報の変調およびプリコードされたシンボル群のマッピングのために用いられる。
【０１６３】
さらに、システム情報の送信のために選択されたＮＣＩは、前半ＮＣＩ４１３と後半ＮＣＩ４１６とに分割される。前半ＮＣＩ４１３の最初のシンボル４１４は、上記の第１同期信号のために予約され、後半ＮＣＩ４１６の最初のシンボル４１７は、第２の同期信号のために予約されている。前半ＮＣＩ４１２の残りのシンボル４１５および後半ＮＣＩ４１６の残りのシンボル４１８は、ＮＲシステム情報のマッピングのために割り当てられる。
【０１６４】
本発明の別の態様は、ＮＲアクセスノードのカバレッジに存在する１つまたは複数のＵＥがＮＲシステム情報の送信および受信のために設定された基本ヌメロロジーを検出することをアシストするために複数の同期信号を送信する際にＲＮアクセスノードで用いられる方法に関し、図１１Ａ，図１１Ｂ，図１１Ｃ，図１２Ａ，図１２Ｂ，図１３Ａ，図１３Ｂを参照して以下に記述される。
【０１６５】
第１の同期信号または第２の同期信号は、固定長の、例えば６４要素長のシーケンスであり、中央の予め定義された帯域固有の固定サブバンド幅またはＢＷ内のサブキャリア群上で、第１の同期信号または第２の同期信号のために確保されたシンボル群上に、マッピングされる。例えば、ＵＨＦ帯域の場合、中心の９６０ｋＨｚ内のサブキャリア群において、第１の同期信号または第２の同期信号のために予約されているシンボル群が用いられてもよい。
【０１６６】
ＮＲシステム情報の送受信および帯域固有のシステム配置のために使用される基本ヌメロロジーに基づいて、固定長の例えば６４個の要素のシーケンスは、ａ）２ｋ（ｋ＝｛０，１，２・・・｝）回繰り返されて、第１の同期信号または第２の同期信号のために予約されているシンボル上にマッピングされるか、または、ｂ）等しい長さの２ｋ（ｋ＝｛１，２・・・｝）個のセクションに分割される。
【０１６７】
したがって、１つの選択されたセクションは、１つの選択されたＮＣＩにマッピングされてもよく、または、複数のセクションは、無線フレーム内の２ｋ個の予め定義されたＮＣＩにマッピングされてもよい。複数のセクションを無線フレーム内の２ｋ個の予め定義されたＮＣＩにマッピングすることは、ＭＣＣについて高速ネットワークアクセスをアシストするために考慮されてもよい。
【０１６８】
図１１Ａ，１１Ｂ，１１Ｃは、本発明の実施形態による、例示的な同期信号の送信設定６００を示す。この設定は、ＵＨＦ帯域内の単一のＯＦＤＭベースのシンボルにおける、同期信号に関する。
【０１６９】
基本ヌメロロジー６３０は、１５ｋＨｚのサブキャリア間隔および１ｍｓのＮＣＩで設定され、６４個の要素のシーケンス６３３，６３５は、第１の同期信号６３２または第２の同期信号６３４用に予約された複数のシンボルの６４個のサブキャリア６３１に直接マッピングされる。
【０１７０】
別の基本ヌメロロジー６２０は、７．５ｋＨｚのサブキャリア間隔および２ｍｓのＮＣＩで設定され、６４要素の複数のシーケンス６２３、６２５．１は、繰り返されて（６２３．１、６２５．１）、１２８要素の新しいシーケンスを形成し、第１同期信号６２２または第２同期信号６２４のために予約された複数のシンボルの１２８個のサブキャリア６２１にマッピングされる。
【０１７１】
さらに別の基本ヌメロロジー６１０は、３．７５ｋＨｚのサブキャリア間隔および４ｍｓのＮＣＩで設定され、６４個の要素のシーケンス６１３，６１５は、３回繰り返され（６１３．１，６１３．２，６１３．３、および、６１５．１，６１５．２，６１５．３）、２５６個の要素の新しいシーケンスを形成し、第１同期信号６１２または第２同期信号６１４のために予約された複数のシンボルの２５６個のサブキャリア６１１にマッピングされる。
【０１７２】
図１２Ａ，１２Ｂは、本発明の実施形態による、例示的な同期信号の送信の設定を示す。この設定は、ＵＨＦ帯域における複数のＯＦＤＭベースのシンボルにおける、同期信号に関する。
【０１７３】
第１の基本ヌメロロジー６４０は、３０ｋＨｚのサブキャリア間隔および０．５ｍｓのＮＣＩで設定され、６４個の要素のシーケンスは、長さ３２個の要素の２つのシーケンス６４８，６４９に分割される。第１のシーケンス６４８は、無線フレームの最初の１０個のＮＣＩ６４６内でシステム情報を搬送する予約されたＮＣＩにおいて、第１の同期信号６４２または第２の同期信号６４３のために予約された複数のシンボルの３２個のサブキャリア６４１に、マッピングされる。
【０１７４】
第２のシーケンス６４９は、同じ無線フレームの第２の１０個のＮＣＩ６４７内で予約された別のＮＣＩにおいて、第１の同期信号６４４または第２の同期信号６４５のために予約された複数のシンボルの３２個のサブキャリアに、マッピングされる。
【０１７５】
別の基本ヌメロロジー６５０は、６０ｋＨｚのサブキャリア間隔および０．２５ｍｓのＮＣＩで設定され、６４個の要素のシーケンスは、長さ１６個の要素の４つのシーケンス６６５，６６６，６６７，６６８に分割される。
【０１７６】
第１のシーケンス６６５は、無線フレーム６６０の１０個のＮＣＩの第１のグループ６６１内のシステム情報を搬送する第１の予約ＮＣＩにおいて、第１の同期信号６５２または第２の同期信号６５３用に予約されたシンボルの１６個のサブキャリア６５１にマッピングされる。
【０１７７】
第２のシーケンス６６６は、無線フレーム（６６０）の１０個のＮＣＩの第２のグループ６６２内の第２の予約ＮＣＩにおいて、第１の同期信号６５４または第２の同期信号６５５のために予約された複数のシンボルの１６個のサブキャリアにマッピングされる。
【０１７８】
第３のシーケンス６６７は、無線フレーム６６０の１０個のＮＣＩの第３のグループ６６３内の第３の予約ＮＣＩにおいて、第１の同期信号６５６または第２の同期信号６５７のために予約された複数のシンボルの１６個のサブキャリアにマッピングされる。
【０１７９】
最後に、第４のシーケンス６６８は、無線フレーム６６０の１０個のＮＣＩ６６４の第４のグループ内の第４の予約ＮＣＩにおいて、第１の同期信号６５８または第２の同期信号６５９のために予約された複数のシンボルの１６個のサブキャリアにマッピングされる。
【０１８０】
図１３Ａ，１３Ｂは、本発明の実施形態による、例示的な同期信号の送信の設定６７０を示す。この設定は、ＳＨＦ帯域またはＥＨＦ帯域における１つ以上のＯＦＤＭベースのシンボルにおける同期信号に関する。
【０１８１】
ＵＥが同期信号およびシステム情報を取得のためにシステムサブバンド内の帯域固有のサブバンド幅を暗黙的に決定することができるように、最小の帯域固有の固定システムサブバンド６７１が、予め定義される。同期信号およびシステム情報をマッピングのための予め定義された固定サブバンド幅またはＢＷが十分に大きい場合、固定長の、例えば６４個の要素の全体の同期シーケンス６７３，６７５、または、全体の同期シーケンス６７３または６７５および１つ以上のレピティション６７３．１または６７５．１は、第１の同期信号６７２または第２の同期信号６７４のために予約されたＯＦＤＭベースのシンボルの、予め定義された固定のサブバンド幅またはＢＷ内のサブキャリア群に、マッピングされてもよい。
【０１８２】
図１３Ｂは、別の帯域固有のシステム配置が使用されている、例示的な信号送信の設定６８０を示す。特に、上記のシステムは、ＵＲＬＬＣ、超高速ネットワーク同期およびアクセスを必要とする、ミッションクリティカルな通信のために、特に設定されてもよい。そのような場合、１０ｍｓの無線フレームは、１０個の通信間隔６８６，６８７の複数の期間を含んでいてもよい。さらなる高速ネットワークアクセスのための高速なシステム情報の取得、システム情報と共に固定長の同期シーケンスおよびそのレピティション６８３および６８３．１または６８５および６８５．１の取得を容易にするために、上記のシステムは、６８８などの無線フレーム内の同じインデックスを有する複数のＮＣＩ上での送信について、設定されてもよい。
【０１８３】
図１４は、本発明の実施形態による、アドバンストＵＥで使用するための方法７００を示す。
【０１８４】
ステップ７１０において、ＵＥは、最初に「電源オフ」状態にある。ＵＥの電源オン７１１の時に、ＵＥは、「電源オン」状態７２０に遷移する。
【０１８５】
ステップ７３０において、さらなる周波数／時間の同期およびシステム情報の受信／復号化のために利用可能な複数のキャリア周波数を決定するために、周波数取得が実行される。
【０１８６】
ステップ７４０において、第１の同期信号の取得が実行される。特に、ＵＥは、同期信号およびシステム情報を取得するために帯域固有の固定（サブ）バンド幅を使用することができる。従って、信号取得は、予め定義された中心（サブ）バンド幅において又は不揮発性の周波数オフセット値を用いて実行され、ここでは、ステップ７４１に図示されるように、６４要素のシーケンスのような固定長シーケンスをマッピングする特定の方法が、基本ヌメロロジーパラメータおよび設定値のブラインド検出においてＵＥをアシストするために用いられ、ステップＳ７４２に図示されるように、セル識別情報の取得が実行される。
【０１８７】
ステップ７５０において、第２の同期信号の取得が実行される。特に、ＵＥは、ステップ７５１に示される無線フレームタイミング、ステップ７５２に示されるセル識別グループ、ステップ７５３に示される、ＮＲシステム情報を搬送してもよいＮＲ通信間隔（ＮＣＩ）をさらに決定するために用いられる、上記検出されたセル識別情報、基本ヌメロロジーパラメータおよびそれらの設定値を用いてもよい。重要なことには、ブロードキャストされたＮＲシステム情報の上記受信およびデコーディングのための参照信号（reference signal）のレプリカを生成することための情報は、ステップ７５４において受信される。
【０１８８】
ステップ７６０において、ＮＲシステム情報を搬送する検出された複数のＮＣＩと上記参照信号レプリカを生成するための情報とを用いて、ＮＲシステム情報の受信および復号が実行される。具体的には、ＵＥは、ＮＲシステム情報ブロードキャストサイクルを確立するだけでなく、ステップ７６１でシステム使用可能帯域幅およびシステムフレームタイミングをさらに取り出し、ステップ７６２で次のＮＲシステムブロードキャストサイクルために設定されたサブバンド数を決定し、ステップ７６３で次のＮＲシステムブロードキャストサイクルための次の、複数のサブバンドのヌメロロジーパラメータ、これらの設定値、および複数のサブバンド幅を設定してもよい。
【０１８９】
ステップ７８０に示されるように、検出されたサブバンド構成を用いて、アドバンストＵＥは、１つ以上のサブバンドにおいて、サービスのデータチャネルの受信および／または送信のために、サブバンド内制御情報を監視してもよい。
【０１９０】
上記の方法は、ステップ７７０に示されるように、第１の同期信号の取得７４０、第２の同期信号の取得７５０、および、ＮＲシステム情報の受信および復号７６０を周期的に実行すること、をさらに含む。
【０１９１】
有利には、本発明の実施形態は、使用中の波形のブラインド検出においてＵＥをアシストするシステム情報ブロードキャストのために使用するために、複数の同期信号を複数の波形にマッピングすることを可能にする。これにより、必要に応じて、最適な波形を適応的に選択することが可能となる。
【０１９２】
さらに、異なる複数の波形の複数のサブバンドを設定し多重化する方法が提供され、これは、ＯＯＢ干渉の暗黙的な管理を可能にする。
【０１９３】
さらに、本発明の実施形態は、新しい複数の波形および／または新しい複数のサービスを将来追加することを可能にする、前方互換性を可能にする。
【０１９４】
システム情報のブロードキャストで使用されている波形に対する同期信号の設計およびマッピングは、アクセスノードによる、システムの必要性／展開に基づく最適な基本波形（base waveform）の適応的な選択を可能にする。
【０１９５】
広帯域無線システムおよび関連するシステムシグナリングにおけるスペクトルの異なる複数の部分に、異なる複数のヌメロロジーの複数の波形を多重することは、上記アクセスノードが、干渉管理を実施することを可能にし、さらにサービス中の既存のＵＥおよびセルに入ってくる新しいＵＥに影響を及ぼすことなく、複数の波形の再設定をアシストする。
【０１９６】
本明細書および特許請求の範囲（もしあれば）において、「含む（comprising）」という語、ならびに「含む（comprises）」および「含む（comprise）」を含むその派生語は、記載された整数（integers）のそれぞれを含むが、１つまたは複数のさらなる整数の包含を排除しない。
【０１９７】
本明細書全体を通して「一実施形態（one embodiment）」または「一実施形態（an embodiment）」への言及は、その実施形態に関連して説明された、特定の特徴（feature）、構造（structure）、または特性（characteristic）が、本発明の少なくとも１つの実施形態に含まれる、ことを意味する。したがって、本明細書を通して様々な箇所での「一実施形態では（in one embodiment）」または「一実施形態では（in an embodiment）」という句の出現は、必ずしもすべてが同じ実施形態を指すとは限らない。さらに、特定の特徴、構造、または特性は、１つまたは複数の組み合わせで任意の適切な方法で組み合わせることができる。
【０１９８】
法令に従って、本発明を構造的または方法的な特徴に多かれ少なかれ特有の言葉で説明した。本明細書に記載された手段は本発明を実施する好ましい形態を含むので、本発明は、示されまたは記載された特定の特徴に限定されない、ことを理解すべきである。したがって、本発明は、当業者によって適切に解釈される（もしあれば）添付の特許請求の範囲の適切な範囲内のその形態または修正のいずれかで、請求される。
【０１９９】
本出願は、２０１６年８月２４日に出願されたオーストラリア仮特許出願第２０１６９０３３６５号を基礎とする優先権を主張し、その開示の全てをここに取り込む。
【図１】
2019533335.tif 000008
【図２】
2019533335.tif 000009
【図３】
2019533335.tif 000010
【図４】
2019533335.tif 000011
【図５】
2019533335.tif 000012
【図６】
2019533335.tif 000013
【図７】
2019533335.tif 000014
【図８】
2019533335.tif 000015
【図９】
2019533335.tif 000016
【図１０】
2019533335.tif 000017
【図１１Ａ】
2019533335.tif 000018
【図１１Ｂ】
2019533335.tif 000019
【図１１Ｃ】
2019533335.tif 000020
【図１２Ａ】
2019533335.tif 000021
【図１２Ｂ】
2019533335.tif 000022
【図１３Ａ】
2019533335.tif 000023
【図１３Ｂ】
2019533335.tif 000024
【図１４】
2019533335.tif 000025
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
アドバンスト無線通信システムにおいて、設定可能なＯＦＤＭベースの複数の波形を用いる適応的な無線アクセスを提供するために用いられる方法であって、
ＵＥにおいて、バンド固有の固定されたシステムサブバンドにて、１つまたは複数の同期信号を受信すること、
前記ＵＥにおいて、前記同期信号に応じて、ベース波形ヌメロロジーを決定すること、および、
前記ＵＥにおいて、１つまたは複数のサービスの複数のパラメータを定義するシステム情報を、前記ベース波形ヌメロロジーに応じて受信すること、
を含む、方法。
【請求項２】
請求項１記載の方法において、
前記同期信号は、第１同期信号および第２同期信号を含む、
方法。
【請求項３】
請求項１または２に記載の方法において、
前記システム情報は、使用可能バンド幅、システムタイミング、システムブロードキャストサイクル、設定された複数のサブバンドの数、複数のサブバンド幅、サブバンド多重配置、および、将来のブロードキャストサイクルにおける信号の送受信に用いるために設定された複数の波形ヌメロロジーまたは複数の情報要素の値を定義する、
方法。
【請求項４】
請求項１から３のいずれか１項に記載の方法において、
複数のサブバンド内データチャネルを送信及び／または受信するために、１つまたは複数のサブバンド内制御チャネルを監視すること、
を含む、
方法。
【請求項５】
請求項１から４のいずれか１項に記載の方法において、
前記システム情報は、新無線（ＮＲ）システムにおける複数のサービスのためにＯＦＤＭベースの波形を設定するための１つまたは複数の情報要素を含む、
方法。
【請求項６】
請求項１から５のいずれか１項に記載の方法において、
前記システム情報は、予め定義されたセットにおけるサブキャリア間隔値に関連するインデックスの形式で、サブキャリア間隔情報要素を含む、
方法。
【請求項７】
請求項１から６のいずれか１項に記載の方法において、
前記システム情報は、設定されたサブバンドを形成する連続的な複数のリソースブロックを示す、サブバンド幅情報要素を含む、
方法。
【請求項８】
請求項１から７のいずれか１項に記載の方法において、
信号の送信および／または受信のために設定された複数の異なる波形は、複数のサービスによる同時使用のために周波数多重されている、
方法。
【請求項９】
請求項１から８のいずれか１項に記載の方法において、
波形の再設定は、ＮＲシステムブロードキャストサイクル毎に行われる、
方法。
【請求項１０】
設定可能なＯＦＤＭベースの複数の波形を用いて適応的な無線アクセスを提供するように構成された、アドバンスト基地局と、
前記アドバンスト基地局と通信するＵＥと
を含み、
前記ＵＥは、
前記アドバンスト基地局から、バンド固有の固定のシステムサブバンドにおいて、１つまたは複数の同期信号を受信し、
前記同期信号に応じて、ベース波形ヌメロロジーを決定し、
前記アドバンスト基地局にて提供されるサービスのための複数のパラメータを定義するシステム情報を、前記アドバンスト基地局から前記ベース波形ヌメロロジーに従って受信する、
ように構成された、
アドバンスト無線通信システム。
【国際調査報告】
2019533335.tif 000026